(57)【特許請求の範囲】
【請求項１】
基材と、該基材に植設された複数の芝葉と、該芝葉の各植設部の間に粒状物が充填されて形成された充填層を備えた人工芝生の製造方法であって、周壁部の内部に中空部を持ち前記周壁部を複数の芝葉とこの複数の芝葉を互いに連結する薄肉部とから構成した筒状の芝糸を基材に植設し、該基材を設置場所に敷設して充填層を構成する粒状物を散布した後、ブラッシングを行うことで、ブラッシングの力によって基材に植設された芝糸の薄肉部を断裂させ、筒状の芝糸を複数の芝葉に分離させると共に各芝葉間に粒状物を充填させることを特徴とする人工芝生の製造方法。
【請求項２】
請求項１に記載の人工芝生の製造方法に用いる芝糸であって、周壁部の内部に中空部を持ち前記周壁部を複数の芝葉とこの複数の芝葉を互いに連結する薄肉部とから構成した筒状の芝糸。
【発明の詳細な説明】
【技術分野】
【０００１】
本発明は、基材に植設した芝葉の間に粒状物を充填した充填層を持つ人工芝生の製造方法に関するものである。
【背景技術】
【０００２】
人工芝生の構造としては基材上に間隔をあけて芝葉が植設されており、一箇所の植設部分には複数本の芝葉が植設されているのが一般的である。このような人工芝生の製造方法については種々の発明が開示されている。
【０００３】
例えば特許文献１には、基布地に、一定間隔にて合成繊維パイル糸をタフティングしてなる人工芝において、合成繊維パイル糸成分が多数の合成繊維モノフィラメント束と、これを長さ方向につれて、１０ないし２００回／ｍにて取り巻く合成繊維マルチフィラメントラップ糸にてなり、前記モノフィラメントは、繊維の長さ方向にて連続して反復するジグザク形態の角立った熱固定クリンプを持ち、前記ジグザグ形態の角だったクリンプの単位長さが１ないし１０ｍｍであることを特徴とする芝表面にてラップクリンプ糸の背面露出量が少くとも４０％密度の緻密な人工芝が開示されている。
【０００４】
【特許文献１】特開平６−２００４６６号公報
【発明の開示】
【発明が解決しようとする課題】
【０００５】
特許文献１に記載の人工芝生は、多数のモノフィラメントがラップ糸によって取り巻かれたパイル糸を用いているので、パイル糸を基布にタフティングすることで多数のモノフィラメントを一度に植設することが可能となっている。しかしながら上記のパイル糸を構成しているラップ糸は、モノフィラメント束を取り巻き束ねる機能を持たせる必要があることから、人工芝生の芝葉としての機能が二次的なものとなっており人工芝生の構成部材としては無駄が大きいという問題点があった。また、パイル糸を製造する際に、モノフィラメントを束ねてラップ糸を巻き付ける工程が必要となり、手間が多いという問題点もあった。
【０００６】
そこで本発明は、不要な部材や工程を用いずに基材に複数の芝葉を効率よく基材上に植設できる人工芝生の製造方法を提供するものである。
【課題を解決するための手段】
【０００７】
上記目的を達成するため、本発明は以下のような構成としている。
すなわち本発明に係る人工芝生の製造方法は、基材と、該基材に植設された複数の芝葉と、該芝葉の各植設部の間に粒状物が充填されて形成された充填層を備えた人工芝生の製造方法であって、周壁部の内部に中空部を持ち前記周壁部を複数の芝葉とこの複数の芝葉を互いに連結する薄肉部とから構成した筒状の芝糸を基材に植設し、該基材を設置場所に敷設して充填層を構成する粒状物を散布した後、ブラッシングを行うことで、ブラッシングの力によって基材に植設された芝糸の薄肉部を断裂させ、筒状の芝糸を複数の芝葉に分離させると共に各芝葉間に粒状物を充填させることを特徴とするものである。
【０００８】
本発明に係る人工芝生の製造方法によれば、周壁部が複数の芝葉とこれを連結する薄肉部から構成した筒状の芝糸を基材に植設した後に、周壁部の薄肉部を断裂させて複数の芝葉に分離させるので、一度の植設で効率よく複数の芝葉を人工芝生に形成することができる。また、芝糸が筒状なので、基材への植設する前や植設作業の際などに芝糸に外力がかかった場合、応力が周壁部の一部の薄肉部に集中しにくく周壁部全体で応力に対応するため、植設前や植設作業時などの芝糸の断列を意図しない状況における芝糸の断裂が起こりにくく、植設作業が行いやすい。
【０００９】
また、芝糸を束ねるためのラップ糸などを用いないので、人工芝生に不要な部材が設けられることが無く好ましい。
【００１０】
また、ブラッシングによって芝糸の薄肉部を断裂させて複数の芝葉に分離させると同時に、芝葉の間に充填層を形成するための粒状物を充填するので、芝糸断裂と粒状物充填のための工程を別に行う必要がなく、製造の効率がよく好ましい。
【発明の効果】
【００１１】
本発明に係る人工芝生の芝糸と製造方法によれば、無駄な部材を用いることなく人工芝生に複数の芝糸を効率よく形成できる。
【発明を実施するための最良の形態】
【００１２】
本発明の実施の一形態を図面に基づき具体的に説明する。
図１は本発明に係る人工芝生の実施の一形態を示す断面図であり、図２は本発明に係る人工芝生の製造に用いる芝糸の実施の一形態を示す端部の斜視図であり、図３は本発明に係る人工芝生の設置の状況を示す断面図であり、図４は薄肉部が断裂する前後の芝糸の状況を示す断面図であり、図５は芝糸の他の実施形態を示す断面図である。
【００１３】
図面において、１は人工芝生が敷設される基層である。基層１は、本形態では地面上に透水性のアスファルトコンクリートを打設して形成しているが、これに限るものではなく、地面そのものであってもよく、地面上に非透水性のアスファルトコンクリートを打設するなどして形成してもよい。
【００１４】
２は人工芝生の基材である。基材２は、織物、編物、不織布等、芝葉が植設されるものであれば何でもよく、特に限定されるものではないが、一例としてポリプロピレン製の平織りの織布等がある。
【００１５】
３は基材２に植設された芝葉である。先ず芝葉３の形成方法について説明する。すなわち図２においては基材２に植設される前の芝糸３１の端部を示しており、芝糸３１は周壁部３２と中空部３３を持つ筒状の形状をしている。周壁部３２には、複数の芝葉３と、芝葉３を互いに連結するように芝葉３よりも肉厚を薄くした薄肉部３４が形成されている。前記のような筒状の芝糸３１の形成方法として、押出成形によって好適に成形できる。芝糸３１を押出成形によって成形すれば、複数の芝糸を束ねるためのラップ糸を巻き付けるなどの工程が不要となり、効率よく人工芝生を製造でき好ましい。また押出成形後に延伸を行うことで芝糸３１の樹脂の物理的改質を行うことができる。また芝糸３１の材質は、本実施形態ではポリエチレンを用いているが、これに限るものではなく、ポリプロピレンやポリエステル、ポリアミド、などの合成樹脂を好適に用いることができる。
【００１６】
前記の如く形成した芝糸３１を基材２に植設する。このとき、図３（イ）に示すように基材２に打ち込んだ芝糸３１を芝葉３の長さに切断しカットパイル状に植設する。芝糸３１の植設後に、基材２の裏面にバッキング材（図示せず）を塗布して、芝糸３１を固定する。
【００１７】
図３（イ）に示すように、芝糸３１を植設して固定した基材２を基層１の上に設置し、その上から粒状物４１を散布する。この後図３（ロ）に示すように、基材２の上からブラシ体５によるブラッシングを行う。芝糸３１がブラシ５からの力を受けることで、芝糸３１の薄肉部３４が断裂し、複数の芝葉３に分裂する。また、ブラシ体５によるブラッシングによって芝糸３１が芝葉３に分裂するとともに、基材２に散布した粒状物４１を撹拌する。粒状物４１は基材２の上から散布しただけでは、芝糸３１に十分に粒状物４１が入り込まず、充填層４に空隙４２が多く生じている。ブラッシングによって粒状物４１を基材２上で撹拌することで、粒状物４１が断裂した芝葉３の間の隙間にも入り込み、空隙４２が消えるように充填される。図４（イ）は薄肉部３４が断裂する前の芝糸３１の断面図であり、ブラシ体５からの力を受けることによって、図４（ロ）に示すように薄肉部３４が断裂して周壁部３２が複数の芝葉３に分離する。
【００１８】
充填層４を構成する粒状物４１は、人工芝生の敷設場所やその用途によって各種材質のものを選択し、または組み合わせて用いることができる。一例として、弾性を持つ粒状物として天然又は合成ゴムチップ、発泡又は無発泡の合成樹脂粒状物、コルクチップ、樹皮チップ、タイヤの粉砕物などを適宜使用することができる。また、硬質の粒状物として川砂や山砂などの砂、硅砂、炭酸カルシウム、ガラス等の無機粒状物や人工の砂土等、が適宜使用することができる。
【００１９】
ブラッシングに用いるブラシ体５は、芝糸３１の薄肉部３４の断列と粒状物４１の充填を効率よく行うために図３（ロ）に示すように回転ブラシを好適に用いることができるが、これに限るものではなくデッキブラシなどを用いて水平方向に往復させるようにブラッシングを行ってもよい。また、粒状物４１の散布とブラッシングは１回だけ行ってもよく、複数回にわけて行ってもよい。また、粒状物４１の散布後にブラッシングを行うことで、芝糸３１の薄肉部３４を断列させるのと同時に粒状物４１を充填することができ、効率がよく好ましいが、芝糸３１の薄肉部３４の断列を粒状物４１の散布前にブラッシングを行うこと行ってもよく、ブラッシング以外の方法で行ってもよい。
【００２０】
図５に芝糸３１の断面の実施形態を示す。芝糸３１は周壁部３２に形成した薄肉部３４が断裂することで、薄肉部３４の間の周壁部３２が芝葉３となるため、形成したい芝葉３の意匠に合わせて芝糸３１の断面形状を決定することができる。一例として、図４（イ）に示すように周壁部が円形となるように芝葉３と薄肉部３４を芝葉３の幅方向で連結させてもよく、および図５（イ）（ロ）に示すように周壁部が楕円形や四角形などとなるように芝葉３と薄肉部３４を芝葉３の幅方向で連結させてもよく、周壁部３２がその他の形となるように形成してもよい。また、図５（ハ）（ニ）に示すように芝葉３の厚さ方向で薄肉部３４と連結させてもよい。また、前記の図に示すように、芝葉３が楕円形状となるように周壁部３２を形成してもよく、図５（ホ）（へ）に示すように芝葉３が三角形や四角形となるように周壁部３２を形成してもよく、図５（ト）に示すように芝葉３が数種類の断面の組み合わせとなるように周壁部３２を形成してもよい。
【００２１】
芝糸３１は断面形状を筒状とすることで、基材２へ植設する前や植設作業の際などに外力がかかった場合でも、応力が一部の薄肉部３４に集中しにくく、意図しない状況での断裂が起こりにくく好ましい。
【図面の簡単な説明】
【００２２】
【図１】本発明に係る人工芝生の実施の一形態を示す断面図である。
【図２】本発明に係る人工芝生の製造に用いる芝糸の実施の一形態を示す端部の斜視図である。
【図３】本発明に係る人工芝生の設置の状況を示す断面図であり、（イ）は基層上に敷設した基材の上から粒状物を散布した後の状況を示しており、（ロ）は基材にブラッシングを行っている状況を示している。
【図４】薄肉部が断裂する前後の芝糸の状況を示す断面図である。
【図５】本発明に係る芝糸の実施形態の例を示す断面図である。
【符号の説明】
【００２３】
１    基層
２    基材
３    芝葉
３１  芝糸
３２  周壁部
３３  中空部
３４  薄肉部
４    充填層
４１  粒状物
４２  空隙
５    ブラシ体
【図１】
0004805295.tif 000002
【図２】
0004805295.tif 000003
【図３】
0004805295.tif 000004
【図４】
0004805295.tif 000005
【図５】
0004805295.tif 000006